(57)【要約】      （修正有）【課題】単語学習をより広く効果的に行える辞書機能を備えた電子機器、単語帳機能を備えた電子機器を提供する。【解決手段】電子辞書１０での辞書検索に伴う［単語帳登録］キー１４ａのユーザ操作に応じて単語帳データ２２ｅに登録された各単語のデータを電子単語帳３０に学習対象として送信する際には、単語帳登録に伴い予めユーザ設定された関連項目指定データに従い、当該登録された各単語に関連する類義語や反対語の単語、検索履歴データ２２ｆやジャンプ履歴データ２２ｇに基づき抽出した前記各単語に関連する単語も加えた転送単語帳データ２６ａを生成し、電子単語帳３０に送信する。このため、電子単語帳３０では、電子辞書１０にて登録した単語帳データ２２ｅの単語とその意味を単に切り替えて学習するだけでなく、関連する単語も加えて表示させ、当該単語についての学習をより広く効果的に行うことができる。【選択図】図２
2015179335.tif 000002
【特許請求の範囲】
【請求項１】
単語帳機能を備えた電子機器と通信する通信手段と、
ユーザ操作に応じて任意の単語を登録する単語登録手段と、
この単語登録手段により登録された単語の説明情報を取得する説明情報取得手段と、
前記単語登録手段により登録された単語に関連する単語を取得する関連単語取得手段と、
前記単語登録手段により登録された単語に前記説明情報取得手段により取得された説明情報と前記関連単語取得手段により取得された関連する単語とを対応付けたデータを前記通信手段により前記単語帳機能を備えた電子機器に送信させる単語帳送信手段と、
を備えたことを特徴とする辞書機能を備えた電子機器。
【請求項２】
前記単語登録手段により登録された単語に関連させる項目をユーザ操作に応じて指定する関連項目指定手段を備え、
この関連項目指定手段により前記関連させる項目として類義語、反対語が指定された場合、前記関連単語取得手段は、前記単語登録手段により登録された単語に関連する単語として当該単語の類義語、反対語を取得する、
ことを特徴とする請求項１に記載の辞書機能を備えた電子機器。
【請求項３】
複数の単語とその説明情報とを対応付けた辞書データを記憶する辞書記憶手段と、
ユーザ操作に応じて入力された検索語に対応する単語を前記辞書データから検索する辞書検索手段と、
この辞書検索手段による前記検索語に対応する単語の前記辞書データからの検索の履歴を記憶する検索履歴記憶手段と、
表示部に表示された文字列の中からユーザ操作に応じて指定された文字列に対応する単語を前記辞書データから検索するジャンプ検索手段と、
このジャンプ検索手段による前記指定された文字列に対応する単語の前記辞書データからの検索の履歴を記憶するジャンプ履歴記憶手段を備え、
前記関連単語取得手段は、前記単語登録手段により登録された単語に関連する単語として、前記検索履歴記憶手段により記憶された検索の履歴に基づく単語と前記ジャンプ履歴記憶手段により記憶された検索の履歴に基づく単語とを取得する、
ことを特徴とする請求項２に記載の辞書機能を備えた電子機器。
【請求項４】
前記説明情報取得手段は、前記関連項目指定手段により前記関連させる項目として前記説明情報の項目が指定された場合、前記単語登録手段により登録された単語に対応した説明情報として当該指定された項目の説明情報を取得する、
ことを特徴とする請求項２または請求項３に記載の辞書機能を備えた電子機器。
【請求項５】
前記単語登録手段により登録された単語とその説明情報との出力順をユーザ操作に応じて指定する出力順指定手段を備え、
前記単語帳送信手段は、前記単語登録手段により登録された単語に前記説明情報取得手段により取得された説明情報と前記関連単語取得手段により取得された関連する単語と前記出力順指定手段により指定された出力順とを対応付けたデータを前記通信手段により前記単語帳機能を備えた電子機器に送信させる、
ことを特徴とする請求項１ないし請求項４の何れか１項に記載の辞書機能を備えた電子機器。
【請求項６】
請求項１に記載の辞書機能を備えた電子機器の単語帳送信手段により送信されたデータを受信して記憶する単語帳記憶手段と、
この単語帳記憶手段により記憶された単語を順番に読み出し当該単語とその説明情報とを表示部に交互に表示させる単語帳表示手段と、
を備えたことを特徴とする単語帳機能を備えた電子機器。
【請求項７】
前記単語帳表示手段は、前記単語帳記憶手段により記憶された次の単語を読み出した際に、同次の単語が前の単語の類義語である場合、前記表示部に対し、前記前の単語の類義語が何であるかを問うメッセージを表示させた後に、当該類義語の単語を表示させる類義語表示制御手段を有する、
ことを特徴とする請求項６に記載の単語帳機能を備えた電子機器。
【請求項８】
前記単語帳表示手段は、前記単語帳記憶手段により記憶された次の単語を読み出した際に、同次の単語が前の単語の反対語である場合、前記表示部に対し、前記前の単語の反対語が何であるかを問うメッセージを表示させた後に、当該反対語の単語を表示させる反対語表示制御手段を有する、
ことを特徴とする請求項６または請求項７に記載の単語帳機能を備えた電子機器。
【請求項９】
他の電子機器と通信する通信手段を備えた電子機器のコンピュータを制御するためのプログラムであって、
前記コンピュータを、
ユーザ操作に応じて任意の単語を記憶部に登録する単語登録手段、
この単語登録手段により登録された単語の説明情報を取得する説明情報取得手段、
前記単語登録手段により登録された単語に関連する単語を取得する関連単語取得手段、
前記単語登録手段により登録された単語に前記説明情報取得手段により取得された説明情報と前記関連単語取得手段により取得された関連する単語とを対応付けたデータを前記通信手段により前記他の電子機器に送信させる単語帳送信手段、
として機能させるためのコンピュータ読み込み可能なプログラム。
【請求項１０】
請求項９に記載のプログラムにより制御される電子機器と通信する通信手段を備えた他の電子機器のコンピュータを制御するためのプログラムであって、
前記コンピュータを、
前記電子機器から送信されたデータを受信して記憶部に記憶する単語帳記憶手段、
この単語帳記憶手段により記憶された単語を順番に読み出し当該単語とその説明情報とを表示部に交互に表示させる単語帳表示手段、
として機能させるためのコンピュータ読み込み可能なプログラム。
【発明の詳細な説明】
【技術分野】
【０００１】
本発明は、単語の学習に好適な辞書機能を備えた電子機器、単語帳機能を備えた電子機器、およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
データを暗記する際に活用可能な従来のデータ再生装置であって、単語、イディオム、文章等のテキストデータ、音声等のオーディオデータ、静止画等の画像データ、又は動画等の映像データについての対を成すデータを複数組記憶し、操作命令によって各データを再生することが考えられている（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる携帯型の自己テスト学習機も考えられている（例えば、特許文献３参照。）。
【先行技術文献】
【特許文献】
【０００８】
【特許文献１】特開２００６−３３０５２０号公報
【特許文献２】特開２００９−２６６０２４号公報
【特許文献３】特開平０８−８３０３９号公報
【発明の概要】
【発明が解決しようとする課題】
【０００９】
しかしながら、前記従来の各装置のように、電子データとして記憶した複数の単語とその意味を、単に順番に切り替えて出力させるだけでなく、当該各単語についての学習をより広く効果的に行いたい要望がある。
【００１０】
本発明は、このような課題に鑑みなされたもので、単語学習をより広く効果的に行うことが可能になる辞書機能を備えた電子機器、単語帳機能を備えた電子機器、およびその制御プログラムを提供することを目的とする。
【課題を解決するための手段】
【００１１】
本発明に係る辞書機能を備えた電子機器は、単語帳機能を備えた電子機器と通信する通信手段と、ユーザ操作に応じて任意の単語を登録する単語登録手段と、この単語登録手段により登録された単語の説明情報を取得する説明情報取得手段と、前記単語登録手段により登録された単語に関連する単語を取得する関連単語取得手段と、前記単語登録手段により登録された単語に前記説明情報取得手段により取得された説明情報と前記関連単語取得手段により取得された関連する単語とを対応付けたデータを前記通信手段により前記単語帳機能を備えた電子機器に送信させる単語帳送信手段と、を備えたことを特徴としている。
【００１２】
本発明に係る単語帳機能を備えた電子機器は、前記辞書機能を備えた電子機器の単語帳送信手段により送信されたデータを受信して記憶する単語帳記憶手段と、この単語帳記憶手段により記憶された単語を順番に読み出し当該単語とその説明情報とを表示部に交互に表示させる単語帳表示手段と、を備えたことを特徴としている。
【発明の効果】
【００１３】
本発明によれば、単語学習をより広く効果的に行うことが可能になる。
【図面の簡単な説明】
【００１４】
【図１】本発明の辞書機能を備えた電子機器および単語帳機能を備えた電子機器をそれぞれ適用した電子辞書１０および電子単語帳３０の外観構成を示す図。
【図２】前記電子辞書１０の電子回路の構成を示すブロック図。
【図３】前記電子辞書１０の辞書データベース２２ｂに記憶された英和辞典の辞書データ２２ｂ１を示す図。
【図４】前記電子辞書１０に記憶された単語帳データ２２ｅの内容を示す図。
【図５】前記電子辞書１０の単語帳登録処理に伴いタッチパネル式表示部１５に表示される関連項目指定画面ＧＫを示す図。
【図６】前記電子辞書１０のＲＡＭ２６に確保された転送単語帳データメモリ２６ａの内容を示す図。
【図７】前記電子単語帳３０の電子回路の構成を示すブロック図。
【図８】前記電子辞書１０による辞書検索処理を示すフローチャート。
【図９】前記電子辞書１０による単語帳送信処理を示すフローチャート。
【図１０】前記電子辞書１０による単語帳送信処理に伴う設定データの取得処理を示すフローチャート。
【図１１】前記電子単語帳３０による単語帳学習処理を示すフローチャート。
【図１２】前記電子単語帳３０の単語帳学習処理におけるユーザ操作に応じた表示動作を示す図。
【発明を実施するための形態】
【００１５】
以下図面により本発明の実施の形態について説明する。
【００１６】
図１は、本発明の辞書機能を備えた電子機器および単語帳機能を備えた電子機器をそれぞれ適用した電子辞書１０および電子単語帳３０の外観構成を示す図である。
【００１７】
前記電子辞書１０と前記電子単語帳３０とは、相互に通信可能に構成される。
【００１８】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１９】
前記電子辞書１０は、その本体ケース１１と蓋体ケース１２とがヒンジ部１３を介して開閉可能な折り畳み型ケースを備えて構成される。この折り畳み型ケースを開いた本体ケース１１の表面には、文字入力キー、辞書指定キー、［単語帳登録］キー１４ａ、［決定］キー１４ｂなどを備えたキー入力部１４が備えられる。
【００２０】
また、前記蓋体ケース１２の表面には、そのほぼ全面にバックライト付きのタッチパネル式表示部１５が設けられる。
【００２１】
前記タッチパネル式表示部１５は、タッチ位置検出装置と表示装置が一体となった構造であり、バックライト付きカラー液晶表示画面に透明タッチパネルを重ねて構成される。
【００２２】
一方、前記電子単語帳３０は、以下に説明する電子単語帳専用の携帯機器として構成されるか、携帯電話、電子ブック、携帯ゲーム機等として構成される。
【００２３】
この電子単語帳３０は、例えばカードサイズの本体ケースを有し、その正面の左端に沿って縦長のキー入力部３１が備えられ、それ以外の領域に表示部３２が備えられる。
【００２４】
前記キー入力部３１には、前記表示部３２に表示される単語のデータを、次のデータに進める［進む］キー３１ａ、前のデータに戻す［戻る］キー３１ｂ、表示中の単語のチェックボックスｃｈ（図１２参照）にチェックデータを書き込んだり消去したりするための［チェック］キー３１ｃ、表示中のデータの発音の音声を音声出力部４５のイヤホン４５ｅ（図７参照）から出力させるための［音声］キー３１ｄが備えられる。
【００２５】
ここで、前記単語のデータとは、例えば英和辞書に基づいた英単語の場合、当該英単語のデータとその日本語の意味（説明情報）のデータとを含む。
【００２６】
図２は、前記電子辞書１０の電子回路の構成を示すブロック図である。
【００２７】
この電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２８】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に読み込まれた辞書制御プログラム２２ａ、あるいはインターネットＮ上のＷｅｂサーバ（この場合はプログラムサーバ）５０から通信部２５を介して前記記憶装置２２に読み込まれた辞書制御プログラム２２ａに応じて、ＲＡＭ２６を作業用メモリとして回路各部の動作を制御する。
【００２９】
前記記憶装置２２に記憶された辞書制御プログラム２２ａは、前記キー入力部１４、タッチパネル式表示部１５からのユーザ操作に応じた入力信号、あるいは通信部２５を介して接続されるインターネットＮ上の各Ｗｅｂサーバ５０…や前記電子単語帳３０との通信信号に応じて起動される。
【００３０】
このように、前記ＣＰＵ２１には、前記記憶装置２２、記録媒体読み取り部２４、通信部２５、ＲＡＭ２６、キー入力部１４、タッチパネル式表示部１５が接続される。
【００３１】
前記記憶装置２２には、辞書制御プログラム２２ａとして、当該電子辞書１０の全体の動作を司るシステムプログラム、通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義（意味）・用例・解説などの各種説明情報の読み出し表示処理、単語帳の登録・読み出し処理、検索履歴の登録・読み出し処理、指定の文字列に対応したジャンプ検索処理、ジャンプ履歴の登録・読み出し処理、前記単語帳として登録された単語帳データをその各単語のデータに関連する単語のデータを付加して前記電子単語帳３０に転送する単語帳送信処理など、同記憶装置２２内の辞書データベース２２ｂ、類義語データベース２２ｃ、反対語データベース２２ｄ、単語帳データ２２ｅ、検索履歴データ２２ｆ、ジャンプ履歴データ２２ｇに基づく検索・登録・読み出し・表示・送受信処理全般を制御するための辞書検索プログラムが記憶される。
【００３２】
前記辞書データベース２２ｂには、例えば、国語辞典、英和辞典、和英辞典、英英辞典、百科事典等の各種の辞書が記憶される。
【００３３】
図３は、前記電子辞書１０の辞書データベース２２ｂに記憶された英和辞典の辞書データ２２ｂ１を示す図である。
【００３４】
この英和辞典の辞書データ２２ｂ１としては、アルファベット順にした各英単語の見出し語とその日本語の意味などからなる説明情報が対応付けられて記憶される。
【００３５】
なお、前記英和辞典以外の各種の辞書データも、基本的には当該英和辞典と同様に、各見出し語である単語とその意味（説明情報）が対応付けられたデータ構造として記憶される。
【００３６】
図４は、前記電子辞書１０に記憶された単語帳データ２２ｅの内容を示す図である。
【００３７】
前記単語帳データ２２ｅには、前記辞書データベース２２ｂに記憶された辞書の見出し語のうち、ユーザが学習対象として登録操作した見出し語（単語）が記憶されるもので、当該各単語には、本単語帳データ２２ｅを前記電子単語帳３０に転送する際に、同各単語の説明情報に関連する単語等を付加するための関連項目指定データ、同各単語を単語（表）→説明情報（裏）の順で表示させるかその逆順で表示させるかを設定する表裏データ（“０”又は“１”）が対応付けられて記憶される。
【００３８】
図５は、前記電子辞書１０の単語帳登録処理に伴いタッチパネル式表示部１５に表示される関連項目指定画面ＧＫを示す図である。
【００３９】
この関連項目指定画面ＧＫは、前記単語帳データ２２ｅの各単語に対応付けられる関連項目指定データと表裏データとをユーザ操作に応じて設定するための画面であり、当該画面ＧＫで設定可能な関連項目としては、「発音記号」「代表的な意味（語義レベル；“１”〜“ｎ”階層まで／全ての下位階層まで）」「活用形（動詞の場合）」「類義語」「反対語」「用例」「＋α（おまかせ選択）」…等が用意される。
【００４０】
前記関連項目指定画面ＧＫにおけるデフォルトでは、「代表的な意味（語義レベル“１”）」「表→裏“０”」のみが設定される。
【００４１】
また、前記関連項目指定画面ＧＫの関連項目「＋α（おまかせ選択）」が指定された場合には、前記単語帳データ２２ｅの該当する単語の説明情報に付加する項目として、前記検索履歴データ２２ｆに基づく関連単語と前記ジャンプ履歴データ２２ｇに基づく関連単語が設定される。
【００４２】
前記検索履歴データ２２ｆに基づく関連単語とは、例えば、前記単語帳データ２２ｅの該当する単語の類義語が検索履歴にある場合はその類義語となり、また前記ジャンプ履歴データ２２ｇに基づく関連単語とは、例えば、前記該当する単語がジャンプ履歴のジャンプ検索元またはジャンプ検索先にある場合はそのジャンプ検索先またはジャンプ検索元の単語となる。
【００４３】
なお、前記単語帳データ２２ｅは、前記辞書データベース２２ｂに記憶された辞書の種類毎あるいはユーザ任意の分類別に生成される。
【００４４】
前記ＲＡＭ２６には、転送単語帳データメモリ２６ａ、表示データメモリ２６ｂなどが確保される。
【００４５】
図６は、前記電子辞書１０のＲＡＭ２６に確保された転送単語帳データメモリ２６ａの内容を示す図である。
【００４６】
この転送単語帳データメモリ２６ａは、前記単語帳送信処理により前記単語帳データ２２ｅを前記電子単語帳３０に転送する際のバッファとして機能するもので、このメモリ２６ａには、前記単語帳データ２２ｅに登録された単語に対し、当該単語の関連項目指定データに応じて前記各データベース２２ｂ〜２２ｄや前記各履歴データ２２ｆ，２２ｇ等から抽出された関連単語を含む説明情報が対応付けられて記憶される。この際、「類義語」「反対語」「ジャンプ（検索）語」等の関連単語が抽出された場合は、前記単語帳データ２２ｅの該当する単語の次の単語として当該「類義語」「反対語」「ジャンプ語」が付加されその説明情報が対応付けられて記憶される。
【００４７】
また、前記転送単語帳データメモリ２６ａには、前記単語帳データ２２ｅに登録された各単語とその関連単語に対応付けられて、当該単語帳データ２２ｅに設定されている表裏データ（“０”又は“１”）がそのまま記憶される。
【００４８】
この転送単語帳データメモリ２６ａの内容は、前記電子単語帳３０に送信されその記憶装置４２に単語帳データ４２ｂとして記憶される。
【００４９】
前記表示データメモリ２６ｂには、前記タッチパネル式表示部１５の画面に表示させる表示データがビットマップパターンに展開されて記憶される。
【００５０】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、単語帳の登録処理、検索履歴の登録処理、ジャンプ検索処理、ジャンプ履歴の登録処理、単語帳の送信処理等を実行するためのプログラムを含む）に記述された命令に従い回路各部の動作を制御し、ソフトウエアとハードウエアとが協働して動作することにより、後述の動作説明で述べる機能を実現する。
【００５１】
図７は、前記電子単語帳３０の電子回路の構成を示すブロック図である。
【００５２】
この電子単語帳３０の電子回路は、プログラムによって動作が制御されるコンピュータによって構成され、その電子回路には、ＣＰＵ４１が備えられる。
【００５３】
このＣＰＵ４１は、記憶装置４２内に予め記憶された単語帳制御プログラム４２ａに応じて、ＲＡＭ４４を作業用メモリとして回路各部の動作を制御する。なお、前記単語帳制御プログラム４２ａは、本電子単語帳３０に前記電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００５４】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００５５】
このように、前記ＣＰＵ４１には、前記記憶装置４２、通信部４３、ＲＡＭ４４、キー入力部３１、表示部３２、音声出力部４５（イヤホン４５ｅ）が接続される。
【００５６】
前記記憶装置４２には、前記単語帳制御プログラム４２ａとして、当該電子単語帳３０の全体の動作を司るシステムプログラム、前記通信部４３を介して前記電子辞書１０とデータ通信するための通信プログラム等が記憶される。また、前記単語帳制御プログラム４２ａとして、前記電子辞書１０との通信接続に伴い、当該電子辞書１０から送信された転送単語帳データ２６ａ（図６参照）を受信し前記記憶装置４２に単語帳データ４２ｂとして記憶させるためのデータ受信処理、前記記憶装置４２に記憶された単語帳データ４２ｂ（２６ｄ）にある各単語のデータをユーザ操作に応じて順番に表示させる単語帳学習処理など、同記憶装置４２内の単語帳データ４２ｂに基づく表示処理全般を制御するためのデータ処理プログラムが記憶される。
【００５７】
前記ＲＡＭ４４には、前記表示部３２に表示させるべき表示データが記憶される表示データメモリ４４ａなどが確保される。
【００５８】
このように構成された電子単語帳３０は、前記ＣＰＵ４１が前記単語帳制御プログラム４２ａ（データ受信処理、単語帳学習処理等を実行するためのプログラムを含む）に記述された命令に従い回路各部の動作を制御し、ソフトウエアとハードウエアとが協働して動作することにより、以下の動作説明で述べる機能を実現する。
【００５９】
次に、前記構成の電子辞書１０および電子単語帳３０の動作について説明する。
【００６０】
（電子辞書１０：辞書検索処理）
図８は、前記電子辞書１０による辞書検索処理を示すフローチャートである。
【００６１】
前記電子辞書１０において、その辞書データベース２２ｂに記憶されている各種の辞書データの中からユーザ操作に応じて任意の辞書（例えば英和辞典）が指定され、ユーザが調べたい検索語が入力されてタッチパネル式表示部１５に表示されると（ステップＳ１）、入力された検索語と前方一致する見出し語（単語）が前記英和辞書から読み出され検索候補として前記表示部１５に一覧表示される（ステップＳ２）。
【００６２】
この一覧表示された検索候補の見出し語の中からユーザ操作に応じて任意の見出し語が選択されると（ステップＳ３（Ｙｅｓ））、当該選択された見出し語（単語）に対応する説明情報が前記英和辞書から読み出され前記表示部１５の全画面に展開されて表示される（ステップＳ４）。
【００６３】
ここで、今回辞書検索されて表示された見出し語（単語）を前記単語帳データ２２ｅに登録して学習対象としたい場合等は、ユーザは［単語帳登録］キー１４ａを操作する。ユーザにより前記［単語帳登録］キー１４ａが操作されたと判断されると（ステップＳ５（Ｙｅｓ））、前記図５で示したように、関連項目指定画面ＧＫがタッチパネル式表示部１５に表示される（ステップＳ６）。
【００６４】
この関連項目指定画面ＧＫにおいて、ユーザは前記見出し語の説明情報に含まれる項目の中から電子単語帳３０に出力する項目を指定する（ステップＳ７）。ここでは、説明情報に含まれる「発音記号」「代表的な意味（語義レベル；“１”〜“ｎ”階層まで／全ての下位階層まで）」「活用形（動詞の場合）」…と、関連する単語の項目「類義語」「反対語」「＋α（おまかせ選択）」がチェックボックスにより指定できるようになっている。なお、「＋α（おまかせ選択）」は、ユーザの操作履歴に基づいて学習に必要と思われ単語を当該電子辞書１０の判断に任せて追加させる際に操作されるものである。更に電子単語帳３０で表示する際の順番を指定する表裏データのラジオボタンが表示される。これらの項目はタッチ操作によるチェックマークの付加等、ユーザ操作により選択的に指定され、当該画面ＧＫ上の［ＯＫ］ボタン又は［決定］キー１４ｂが操作されると（ステップＳ７，Ｓ８（Ｙｅｓ））、前記辞書検索された単語に当該指定された内容の関連項目指定データおよび表裏データが対応付けられて前記単語帳データ２２ｅに追加されて記憶される（ステップＳ９）。
【００６５】
具体的に関連項目の指定データについて説明する。前記図４で示した単語帳データ２２ｅにおいて、単語「word1」に対応付けられた関連項目指定データは「“０”デフォルト」、表裏データは「“０”表→裏」として記憶され、また単語「word2」に対応付けられた関連項目指定データは「Ｌ２（語義レベル“２”階層まで）」「類（類義語）」、表裏データは「“０”表→裏」として記憶される。ここで、関連項目指定データで「“０”デフォルト」は、項目「代表的な意味」と「語義レベル“１”階層まで取得する」が指定されている状態である。
【００６６】
（電子辞書１０：単語帳送信処理）
図９は、前記電子辞書１０による単語帳送信処理を示すフローチャートである。
【００６７】
図１０は、前記電子辞書１０による単語帳送信処理に伴う設定データの取得処理を示すフローチャートである。
【００６８】
この単語帳送信処理では、前記辞書検索処理に伴い学習対象として登録した単語帳データ２２ｅ（図４参照）に基づいて転送単語帳データ２６ａ（図６参照）を生成し電子単語帳３０に送信する。
【００６９】
ユーザ操作に応じて当該単語帳送信処理が起動されると、前記単語帳データ２２ｅに記憶されている単語帳リストから各単語のデータが順番に読み出される（ステップＴ１）。
【００７０】
すると、この読み出された単語に対応付けられた関連項目指定データが“０”（デフォルト）に設定されているか否か判断される（ステップＴ２）。
【００７１】
ここで、前記単語に対応付けられた関連項目指定データが“０”（デフォルト）に設定されていると判断された場合は（ステップＴ２（Ｙｅｓ））、当該単語の意味（説明情報）として前記辞書データベース２２ｂに記憶された代表的な意味（語義レベル“１”階層まで）が取得され、前記転送単語帳データメモリ２６ａに当該単語と対応付けられて記憶される（ステップＴ３）。またこれと共に、前記単語に対応付けられた表裏データも取得され、前記転送単語帳データメモリ２６ａに当該単語と対応付けられて記憶される（ステップＴ５）。
【００７２】
一方、前記単語帳データ２２ｅの単語帳リストから読み出された単語に対応付けられた関連項目指定データが“０”（デフォルト）に設定されていないと判断された場合は（ステップＴ２（Ｎｏ））、図１０における設定データの取得処理に移行され、当該関連項目指定データに設定された各項目に応じたデータが取得され、前記転送単語帳データメモリ２６ａに前記単語と対応付けられて記憶される（ステップＴ４）。
【００７３】
この設定データの取得処理（ステップＴ４）では、前記単語帳データ２２ｅから読み出された単語に対応付けられた関連項目指定データにおいて、「発音記号」が設定されている場合には、当該単語の発音記号が取得されその説明情報に含められて前記転送単語帳データメモリ２６ａに記憶される（ステップＴ４１）。
【００７４】
また、前記単語に対応付けられた関連項目指定データの「代表的な意味」として語義レベル“ｎ”が設定されている場合には、当該語義レベル“ｎ”の階層（又は全ての下位階層）に応じた意味が取得され、同単語の説明情報に含められて前記転送単語帳データメモリ２６ａに記憶される（ステップＴ４２）。
【００７５】
また、前記関連項目指定データにおいて、「活用形（動詞の場合）」が設定されている場合には、当該単語の活用形が取得されその説明情報に含められて前記転送単語帳データメモリ２６ａに記憶される（ステップＴ４３）。
【００７６】
また、前記関連項目指定データにおいて、関連する単語の項目「類義語」「反対語」が設定されている場合には、前記類義語データベース２２ｃ、前記反対語データベース２２ｄから前記単語の類義語である単語とその意味（説明情報）、反対語である単語とその意味（説明情報）が取得され、前記単語帳から読み出された単語に関連付けられた次の単語とその説明情報として前記転送単語帳データメモリ２６ａに追加で記憶される（ステップＴ４４）。
【００７７】
さらに、前記関連項目指定データにて「用例」が設定されている場合も同様に、当該単語の用例が取得されその説明情報に含められて前記転送単語帳データメモリ２６ａに記憶される（ステップＴ４５）。
【００７８】
また、前記単語に対応付けられた関連項目指定データにおいて、「＋α（おまかせ選択）」が設定されている場合には（ステップＴ４６（Ｙｅｓ））、前記検索履歴データ２２ｆに基づき当該単語に関連する単語とその意味（説明情報）が取得され、前記転送単語帳データメモリ２６ａに、前記単語帳から読み出された単語に関連付けられた次の単語とその説明情報として追加で記憶される（ステップＴ４７）。
【００７９】
例えば、前記単語帳データ２２ｅから読み出された単語が“freedom”である場合に、その類義語の“liberty”が前記検索履歴データ２２ｆにある場合は、当該類義語である単語“liberty”とその意味（説明情報）が取得され、前記転送単語帳データメモリ２６ａに、前記単語“freedom”に関連付けられた次の単語とその説明情報として追加で記憶される（ステップＴ４７）。
【００８０】
さらに、前記単語帳から読み出された単語をジャンプ検索元とするジャンプ検索先の単語とその意味（説明情報）、又は当該単語をジャンプ検索先とするジャンプ検索元の単語とその意味（説明情報）が、前記ジャンプ履歴データ２２ｇに基づき取得され、前記転送単語帳データメモリ２６ａに、前記単語帳からの単語に関連付けられた次の単語とその説明情報として追加で記憶される（ステップＴ４８）。
【００８１】
なお、前記ジャンプ履歴データ２２ｇに基づき取得する前記単語帳から読み出された単語に関連する単語は、そのジャンプ検索履歴の何段前又は何段後のジャンプ検索履歴まで含めるかを予め設定することで、当該単語帳の単語に追加する関連する単語の情報量が定められる。
【００８２】
そして、前記一連の設定データ取得処理（ステップＴ４１〜Ｔ４８）に従い、前記単語帳から読み出された単語の関連項目指定データに応じた追加の情報が取得され、前記転送単語帳データメモリ２６ａに当該単語帳からの単語と対応付けられて記憶されると、同単語帳から読み出された単語に対応付けられた表裏データも取得され、前記転送単語帳データメモリ２６ａに記憶される（ステップＴ５）。
【００８３】
この後、前記単語帳データ２２ｅから順番に読み出される各単語のそれぞれについて、前記ステップＴ１〜Ｔ５に従った処理が繰り返されることで前記転送単語帳データ２６ａが生成され、前記単語帳データ２２ｅから読み出す次の単語がなくなったと判断されると（ステップＴ６（Ｎｏ））、当該生成された転送単語帳データ２６ａが前記通信部２５を介して前記電子単語帳３０に送信される（ステップＴ７）。
【００８４】
（電子単語帳３０：データ受信処理）
前記電子単語帳３０において、前記電子辞書１０の単語帳送信処理により送信された転送単語帳データ２６ａ（図６参照）は、前記通信部４３を介して受信され、前記記憶装置４２内に単語帳データ４２ｂとして記憶される。
【００８５】
（電子単語帳３０：単語帳学習処理）
図１１は、前記電子単語帳３０による単語帳学習処理を示すフローチャートである。
【００８６】
図１２は、前記電子単語帳３０の単語帳学習処理におけるユーザ操作に応じた表示動作を示す図である。
【００８７】
前記電子単語帳３０のユーザ操作に応じてその単語帳学習処理が起動されると、前記単語帳データ４２ｂ（図６参照）に記憶されている単語が指定され（ステップＰ１）、当該指定の単語が前回の指定の単語の類義語であるか、及び反対語であるかが判断される（ステップＰ２，Ｐ３）。
【００８８】
例えば、前記単語帳データ４２ｂ（図６参照）の先頭の単語word1“wine”が指定された場合に、前回指定の単語の類義語でも反対語でもないと判断されると（ステップＰ２（Ｎｏ），Ｐ３（Ｎｏ））、今回指定の単語word1“wine”に対応付けられて記憶されている表裏データが“０”（表→裏）に設定されているか否か判断される（ステップＰ４）。
【００８９】
そして、“０”（表→裏）に設定されていると判断されると（ステップＰ４（Ｙｅｓ））、図１２（Ａ）に示すように、前記指定の単語word1“wine”が表示部３２に表示される（ステップＰ５ａ）。
【００９０】
そして、［進む］キー３１ａが操作されると、図１２（Ｂ）に示すように、前記指定の単語word1“wine”に対応付けられて前記単語帳データ４２ｂに記憶されている意味（説明情報）“ａワイン，ブドウ酒b…”が読み出され前記表示部３２に表示される（ステップＰ６ａ）。
【００９１】
続いて、［進む］キー３１ａが操作されると（ステップＰ７（Ｙｅｓ））、前記単語帳データ４２ｂの次の単語word2“freedom”が指定される（ステップＰ１）。
【００９２】
すると、前記同様に、前回指定の単語の類義語でも反対語でもないと判断されると共に（ステップＰ２（Ｎｏ），Ｐ３（Ｎｏ））、表裏データが“０”（表→裏）に設定されていると判断され（ステップＰ４（Ｙｅｓ））、図１２（Ｃ）に示すように、前記指定の単語word2“freedom”が表示部３２に表示される（ステップＰ５ａ）。
【００９３】
そして、［進む］キー３１ａが操作されると、図１２（Ｄ）に示すように、前記指定の単語word2“freedom”に対応付けられて前記単語帳データ４２ｂに記憶されている意味（説明情報）“(1)自由、自主独立(2)…”が読み出され前記表示部３２に表示される（ステップＰ６ａ）。
【００９４】
この際、前記表示部３２に表示される前記指定の単語に対応した意味（説明情報）の内容は、前記関連項目指定データに応じて予めユーザ設定された項目の情報を含んだ内容となっているので、単に代表的な意味だけを学習するだけでなく、前記指定の単語についての学習をより広く効果的に行うことができる。
【００９５】
続いて、［進む］キー３１ａが操作されると（ステップＰ７（Ｙｅｓ））、前記単語帳データ２６ａの次の単語である類義語“liberty”が指定される（ステップＰ１）。
【００９６】
すると、今回指定の単語は前回指定の単語word2“freedom”の類義語であると判断され（ステップＰ２（Ｙｅｓ））、図１２（Ｅ）に示すように、当該前回指定の単語word2“freedom”の類義語“liberty”がユーザに分かるかどうかを質問するメッセージ「同じ意味の単語は？」が前記表示部３２に表示される（ステップＰ８）。
【００９７】
ここで、［進む］キー３１ａが操作されると（ステップＰ１０（Ｙｅｓ））、図１２（Ｆ）に示すように、前記今回指定の単語である類義語“liberty”が前記表示部３２に表示され（ステップＰ５ａ）、さらに、［進む］キー３１ａが操作されると、図１２（Ｇ）に示すように、前記指定の単語である類義語“liberty”に対応付けられて前記単語帳データ２６ａに記憶されている意味（説明情報）“(1)自由、解放(2)…”が読み出され前記表示部３２に表示される（ステップＰ６ａ）。
【００９８】
また、前記単語帳データ２６ａから今回指定された単語が前回指定の単語の反対語であると判断された場合も（ステップＰ１，Ｐ３（Ｙｅｓ））、前記類義語であった場合と同様に、前回指定の単語の反対語がユーザに分かるかどうかを質問するメッセージ「反対の意味の単語は？」が前記表示部３２に表示される（ステップＰ９）。
【００９９】
ここで、［進む］キー３１ａが操作されると（ステップＰ１０（Ｙｅｓ））、前記今回指定の単語である反対語が前記表示部３２に表示され（ステップＰ５ａ）、さらに、［進む］キー３１ａが操作されると、前記指定の単語である反対語に対応付けられて前記単語帳データ２６ａに記憶されている意味（説明情報）が読み出され前記表示部３２に表示される（ステップＰ６ａ）。
【０１００】
このように、前回指定の単語の類義語が今回指定の単語となった場合は、その類義語自体をユーザに考えさせ、また同様に、前回指定の単語の反対語が今回指定の単語となった場合は、その反対語自体をユーザに考えさせるので、前記電子辞書１０にて登録した単語帳データ２２ｅの単語とその意味を単に切り替えて学習するだけでなく、関連する単語も加えて表示させ、当該単語についての学習をより広く効果的に行うことができる。
【０１０１】
一方、前記単語帳データ４２ｂ（図６参照）にて今回指定された単語word3が（ステップＰ１）、前回指定の単語word2の類義語でも反対語でもないと判断された場合であって（ステップＰ２（Ｎｏ），Ｐ３（Ｎｏ））、当該今回指定の単語word3に対応付けられて記憶されている表裏データが“１”（裏→表）に設定されていると判断された場合は（ステップＰ４（Ｎｏ））、同今回指定の単語word3に対応付けられた意味（説明情報）が先に前記表示部３２に表示され（ステップＰ５ｂ）。
【０１０２】
そして、［進む］キー３１ａが操作されると、前記今回指定の単語word3が前記表示部３２に表示される（ステップＰ６ｂ）。
【０１０３】
したがって、前記構成の電子辞書１０によれば、辞書検索に伴う［単語帳登録］キー１４ａのユーザ操作に応じて単語帳データ２２ｅに登録された各単語のデータを前記電子単語帳３０に学習対象として送信する際には、単語帳登録に伴い予めユーザ設定された関連項目指定データに従い、当該登録された各単語に関連する類義語や反対語の単語、検索履歴データ２２ｆやジャンプ履歴データ２２ｇに基づき抽出した前記各単語に関連する単語も加えた転送単語帳データ２６ａを生成し、前記電子単語帳３０に送信する。
【０１０４】
このため、前記電子単語帳３０では、前記電子辞書１０にて登録した単語帳データ２２ｅの単語とその意味を単に切り替えて学習するだけでなく、関連する単語も加えて表示させ、当該単語についての学習をより広く効果的に行うことができる。
【０１０５】
また、前記構成の電子辞書１０によれば、前記単語帳データ２２ｅに登録された単語に対応付けて前記電子単語帳３０に送信する説明情報に含ませる項目として、「発音記号」「代表的な意味の語義のレベル」「活用形（動詞の場合）」「用例」等を、前記関連項目指定データにより予めユーザ設定することができる。
【０１０６】
このため、前記電子単語帳３０での単語学習により表示される各単語の意味（説明情報）の内容は、前記関連項目指定データに応じて予めユーザ設定された項目の情報を含んだ内容となるので、単に代表的な意味だけを学習するだけでなく、単語についての学習をより広く効果的に行うことができる。
【０１０７】
また、前記構成の電子単語帳３０によれば、前記電子辞書１０から転送されて記憶された単語帳データ４２ｂの各単語とその意味（説明情報）を交互に順番に読み出して表示させる際に、次に読み出して表示させる単語が前回表示させた単語の類義語，反対語等の関連する単語である場合は、当該前回表示させた単語に関連する単語が何であるかを問うメッセージ（例えば、前回表示させた単語の類義語，反対語が何であるかを問うメッセージ）を表示させた後に、その関連する単語（類義語，反対語等）を表示させる。
【０１０８】
このため、ユーザが前記電子辞書１０において単語帳登録した単語を前記電子単語帳３０において学習する際に、単に登録した単語を順番に表示させて学習できるだけなく、類義語，反対語等、各単語に関連する単語も加えて且つ当該電子単語帳３０自ら能動的に学習させることができる。
【０１０９】
なお、前記実施形態の電子辞書１０の辞書検索処理において、その単語帳登録に伴いタッチパネル式表示部１５に表示される関連項目指定画面ＧＫ（図５参照）では、登録すべき単語に対応付けしたい項目を、タッチ操作によりチェックマークを付加することで設定する構成としたが、さらに当該タッチ操作された項目にカラーマーカーを付加して表示させることで、その設定内容をユーザがより明確に確認できる構成としてもよい。
【０１１０】
また、前記実施形態の電子辞書１０および電子単語帳３０では、英和辞典を使用した場合の具体例について説明したが、これに限らず、国語辞典、教科書等を使用した場合でも前記同様に適用できるのは言うまでもない。
【０１１１】
また、前記実施形態の電子辞書１０では、その辞書検索処理に伴い前記単語帳データ２２ｅに登録する単語のそれぞれについて、前記関連項目指定画面ＧＫを表示させ、その都度個別に当該単語に対応付ける項目を指定する構成としたが、これを行わず、この後の単語帳送信処理により前記単語帳データ２２ｅを電子単語帳３０に送信する際に、前記関連項目指定画面ＧＫを表示させ、前記単語帳データ２２ｅに登録された各単語に対し一括して対応付ける項目を指定する構成としてもよい。
【０１１２】
また、前記実施形態では、電子辞書１０と電子単語帳３０とを別体の機器として構成した場合について説明したが、一体の機器として構成してもよい。この場合、単語帳送信処理において単語帳データ２２ｅの各単語や前記関連項目指定データに応じた項目の実際のデータを転送する必要はなく、前記転送単語帳データ２６ａ（４２ｂ）は、前記実際のデータを指定する情報により生成すればよい。
【０１１３】
さらに、前記実施形態の電子辞書１０によれば、その単語帳送信処理に伴い生成した転送単語帳データ２６ａを使用することで、当該電子辞書１０それ自体により前記電子単語帳３０での単語帳学習処理と同様の処理を実行できる。
【０１１４】
なお、前記各実施形態において記載した電子辞書１０、電子単語帳３０による各処理の手法、およびデータベース、すなわち、図８のフローチャートに示す前記電子辞書１０での辞書検索処理、図９および図１０のフローチャートに示す前記電子辞書１０での単語帳送信処理、図１１のフローチャートに示す前記電子単語帳３０での単語帳学習処理等の各手法、および前記辞書データベース２２ｂ、類義語データベース２２ｃ、反対語データベース２２ｄ等のデータベースは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、表示部を備えた電子機器のコンピュータ（制御装置）は、この外部記録装置の媒体に記憶されたプログラムを記憶装置に読み込み、この読み込んだプログラムによって動作が制御されることにより、前記各実施形態において説明した辞書検索機能、単語帳送信機能、単語帳学習機能を実現し、前述した手法による同様の処理を実行することができる。
【０１１５】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを表示部を備えた電子機器に取り込んで記憶装置に記憶させ、前述した辞書検索機能、単語帳送信機能、単語帳学習機能を実現することもできる。
【０１１６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１７】
以下に、本願出願の当初の特許請求の範囲に記載された発明を付記する。
【０１１８】
［１］
単語帳機能を備えた電子機器と通信する通信手段と、
ユーザ操作に応じて任意の単語を登録する単語登録手段と、
この単語登録手段により登録された単語の説明情報を取得する説明情報取得手段と、
前記単語登録手段により登録された単語に関連する単語を取得する関連単語取得手段と、
前記単語登録手段により登録された単語に前記説明情報取得手段により取得された説明情報と前記関連単語取得手段により取得された関連する単語とを対応付けたデータを前記通信手段により前記単語帳機能を備えた電子機器に送信させる単語帳送信手段と、
を備えたことを特徴とする辞書機能を備えた電子機器。
【０１１９】
［２］
前記単語登録手段により登録された単語に関連させる項目をユーザ操作に応じて指定する関連項目指定手段を備え、
この関連項目指定手段により前記関連させる項目として類義語、反対語が指定された場合、前記関連単語取得手段は、前記単語登録手段により登録された単語に関連する単語として当該単語の類義語、反対語を取得する、
ことを特徴とする［１］に記載の辞書機能を備えた電子機器。
【０１２０】
［３］
複数の単語とその説明情報とを対応付けた辞書データを記憶する辞書記憶手段と、
ユーザ操作に応じて入力された検索語に対応する単語を前記辞書データから検索する辞書検索手段と、
この辞書検索手段による前記検索語に対応する単語の前記辞書データからの検索の履歴を記憶する検索履歴記憶手段と、
表示部に表示された文字列の中からユーザ操作に応じて指定された文字列に対応する単語を前記辞書データから検索するジャンプ検索手段と、
このジャンプ検索手段による前記指定された文字列に対応する単語の前記辞書データからの検索の履歴を記憶するジャンプ履歴記憶手段を備え、
前記関連単語取得手段は、前記単語登録手段により登録された単語に関連する単語として、前記検索履歴記憶手段により記憶された検索の履歴に基づく単語と前記ジャンプ履歴記憶手段により記憶された検索の履歴に基づく単語とを取得する、
ことを特徴とする［２］に記載の辞書機能を備えた電子機器。
【０１２１】
［４］
前記説明情報取得手段は、前記関連項目指定手段により前記関連させる項目として前記説明情報の項目が指定された場合、前記単語登録手段により登録された単語に対応した説明情報として当該指定された項目の説明情報を取得する、
ことを特徴とする［２］または［３］に記載の辞書機能を備えた電子機器。
【０１２２】
［５］
前記単語登録手段により登録された単語とその説明情報との出力順をユーザ操作に応じて指定する出力順指定手段を備え、
前記単語帳送信手段は、前記単語登録手段により登録された単語に前記説明情報取得手段により取得された説明情報と前記関連単語取得手段により取得された関連する単語と前記出力順指定手段により指定された出力順とを対応付けたデータを前記通信手段により前記単語帳機能を備えた電子機器に送信させる、
ことを特徴とする［１］ないし［４］の何れかに記載の辞書機能を備えた電子機器。
【０１２３】
［６］
［１］に記載の辞書機能を備えた電子機器の単語帳送信手段により送信されたデータを受信して記憶する単語帳記憶手段と、
この単語帳記憶手段により記憶された単語を順番に読み出し当該単語とその説明情報とを表示部に交互に表示させる単語帳表示手段と、
を備えたことを特徴とする単語帳機能を備えた電子機器。
【０１２４】
［７］
前記単語帳表示手段は、前記単語帳記憶手段により記憶された次の単語を読み出した際に、同次の単語が前の単語の類義語である場合、前記表示部に対し、前記前の単語の類義語が何であるかを問うメッセージを表示させた後に、当該類義語の単語を表示させる類義語表示制御手段を有する、
ことを特徴とする［６］に記載の単語帳機能を備えた電子機器。
【０１２５】
［８］
前記単語帳表示手段は、前記単語帳記憶手段により記憶された次の単語を読み出した際に、同次の単語が前の単語の反対語である場合、前記表示部に対し、前記前の単語の反対語が何であるかを問うメッセージを表示させた後に、当該反対語の単語を表示させる反対語表示制御手段を有する、
ことを特徴とする［６］または［７］に記載の単語帳機能を備えた電子機器。
【０１２６】
［９］
他の電子機器と通信する通信手段を備えた電子機器のコンピュータを制御するためのプログラムであって、
前記コンピュータを、
ユーザ操作に応じて任意の単語を記憶部に登録する単語登録手段、
この単語登録手段により登録された単語の説明情報を取得する説明情報取得手段、
前記単語登録手段により登録された単語に関連する単語を取得する関連単語取得手段、
前記単語登録手段により登録された単語に前記説明情報取得手段により取得された説明情報と前記関連単語取得手段により取得された関連する単語とを対応付けたデータを前記通信手段により前記他の電子機器に送信させる単語帳送信手段、
として機能させるためのコンピュータ読み込み可能なプログラム。
【０１２７】
［１０］
［９］に記載のプログラムにより制御される電子機器と通信する通信手段を備えた他の電子機器のコンピュータを制御するためのプログラムであって、
前記コンピュータを、
前記電子機器から送信されたデータを受信して記憶部に記憶する単語帳記憶手段、
この単語帳記憶手段により記憶された単語を順番に読み出し当該単語とその説明情報とを表示部に交互に表示させる単語帳表示手段、
として機能させるためのコンピュータ読み込み可能なプログラム。
【符号の説明】
【０１２８】
１０  …電子辞書
１４  …キー入力部（辞書）
１４ａ…［単語帳登録］キー
１５  …タッチパネル式表示部
３０  …電子単語帳
３１  …キー入力部（単語帳）
３１ａ…［進む］キー
３１ｂ…［戻る］キー
３１ｃ…［チェック］キー
２１，４１…ＣＰＵ
２２，４２…記憶装置
２２ａ…辞書制御プログラム
４２ａ…単語帳制御プログラム
２２ｂ…辞書データベース
２２ｃ…類義語データベース
２２ｄ…反対語データベース
２２ｅ…単語帳データ
２２ｆ…検索履歴データ
２２ｇ…ジャンプ履歴データ
２３  …外部記録媒体
２４  …記録媒体読み取り部
２５，４３…通信部
２６，４４  …ＲＡＭ
２６ａ（４２ｂ）…転送単語帳データ
５０  …Ｗｅｂサーバ
Ｎ    …通信ネットワーク
【図１】
2015179335.tif 000003
【図２】
2015179335.tif 000004
【図３】
2015179335.tif 000005
【図４】
2015179335.tif 000006
【図５】
2015179335.tif 000007
【図６】
2015179335.tif 000008
【図７】
2015179335.tif 000009
【図８】
2015179335.tif 000010
【図９】
2015179335.tif 000011
【図１０】
2015179335.tif 000012
【図１１】
2015179335.tif 000013
【図１２】
2015179335.tif 000014